(57)【要約】【課題】着色による損傷防止のために隔壁、誘電層、及び保護膜を透明に形成すること、色の散乱防止、反射輝度低減、輝度向上のための放電空間に形成される反射層を形成すること、さらに明室コントラスト向上、外部光の反射による表示効率低下防止、画質改善のために構成要素が減色混合される色の関係をなすように形成することを課題とする。【解決手段】  本発明は、第１色で着色される第１基板、第１基板と対向配置されて、第２色で着色される第２基板、両基板の間に配置されて、各放電セルを区画する隔壁、第１基板に第１方向に伸張形成されて、放電セルに対応するアドレス電極、アドレス電極を覆う下部誘電層、第２基板に第１方向と交差する第２方向に伸張形成されて、放電セルに対応する表示電極、表示電極を覆う上部誘電層、及び放電セルの内部に形成される蛍光体層を含むプラズマディスプレイパネルを提供する。【選択図】図１
2008130536.tif 000002
【特許請求の範囲】
【請求項１】
第１色で着色される第１基板；
前記第１基板と対向配置されて、第２色で着色される第２基板；
前記第１基板及び前記第２基板の間に配置されて、各放電セルを区画する隔壁；
前記第１基板に第１方向に伸張形成されて、前記放電セルに対応するアドレス電極；
前記アドレス電極を覆う下部誘電層；
前記第２基板に前記第１方向と交差する第２方向に伸張形成されて、前記放電セルに対応する表示電極；
前記表示電極を覆う上部誘電層；及び
前記放電セルの内部に形成される蛍光体層を含むことを特徴とするプラズマディスプレイパネル。
【請求項２】
前記第１色及び前記第２色は、互いに減色混合される色であることを特徴とする請求項１に記載のプラズマディスプレイパネル。
【請求項３】
前記第１色及び前記第２色のうちのいずれか一色は、減色混合の三原色のうちの一色からなり、
他の一色は、減色混合の三原色のうちの残りの二色が混合された色からなることを特徴とする請求項２に記載のプラズマディスプレイパネル。
【請求項４】
前記第１色及び前記第２色は、互いに補色対比の関係をなすことを特徴とする請求項１に記載のプラズマディスプレイパネル。
【請求項５】
前記第１色は、有彩色であることを特徴とする請求項１に記載のプラズマディスプレイパネル。
【請求項６】
前記第１色は、茶色系であることを特徴とする請求項５に記載のプラズマディスプレイパネル。
【請求項７】
前記第２色は、有彩色であることを特徴とする請求項１に記載のプラズマディスプレイパネル。
【請求項８】
前記第２色は、青緑色系であることを特徴とする請求項７に記載のプラズマディスプレイパネル。
【請求項９】
前記放電セルの内部には、反射層が形成されることを特徴とする請求項１に記載のプラズマディスプレイパネル。
【請求項１０】
前記反射層は、前記隔壁の側面及び前記蛍光体層の間に形成されることを特徴とする請求項９に記載のプラズマディスプレイパネル。
【請求項１１】
前記反射層は、前記下部誘電層の上面及び前記蛍光体層の間に形成されることを特徴とする請求項９に記載のプラズマディスプレイパネル。
【請求項１２】
前記反射層は、前記隔壁の側面から前記下部誘電層の上面にかけて形成されることを特徴とする請求項９に記載のプラズマディスプレイパネル。
【請求項１３】
前記反射層は、アルミニウムを含んで形成されることを特徴とする請求項９に記載のプラズマディスプレイパネル。
【請求項１４】
前記隔壁は、透明に形成されることを特徴とする請求項１に記載のプラズマディスプレイパネル。
【請求項１５】
前記第１基板の一部及び前記第２基板の一部は、前記隔壁を間において、互いに減色混合された色で着色されることを特徴とする請求項１４に記載のプラズマディスプレイパネル。
【請求項１６】
前記上部誘電層は、透明に形成されることを特徴とする請求項１に記載のプラズマディスプレイパネル。
【請求項１７】
前記下部誘電層は、透明に形成されることを特徴とする請求項１に記載のプラズマディスプレイパネル。
【請求項１８】
前記上部誘電層は、保護膜で覆われ、
前記保護膜は、透明に形成されることを特徴とする請求項１に記載のプラズマディスプレイパネル。
【発明の詳細な説明】
【技術分野】
【０００１】
本発明は、プラズマディスプレイパネルに関するものであって、より詳細には、隔壁、誘電層、及び保護膜の着色による損傷を防止して、反射輝度は低減させ、輝度は向上させるプラズマディスプレイパネルに関するものである。
【背景技術】
【０００２】
一般に、プラズマディスプレイパネルは、気体放電によって発生したプラズマから放出される真空紫外線（ＶＵＶ：Ｖａｃｕｕｍ Ｕｌｔｒａ Ｖｉｏｌｅｔ）を利用して蛍光体を励起させることによって発生する赤色（Ｒ）、緑色（Ｇ）、及び青色（Ｂ）の可視光で画像を表示する。
【０００３】
プラズマディスプレイパネルは、供給される駆動電圧及び放電セルの構造によって直流型及び交流型に区分されるが、以下では、交流型プラズマディスプレイパネル（以下、プラズマディスプレイパネルとする）の概略的な構造について説明する。
【０００４】
まず、背面基板上にアドレス電極が形成され、アドレス電極は、誘電層で覆われている。隔壁は、誘電層上に各アドレス電極の間に配置されて、ストライプ（ｓｔｒｉｐｅ）形状またはマトリックス（Ｍａｔｒｉｘ）形状に形成される。前面基板は、背面基板と互いに離隔して対向配置され、前面基板上にアドレス電極と交差する方向に沿って一対の維持電極及び走査電極からなる表示電極が形成される。表示電極は、誘電層及び保護膜（ＭｇＯ保護膜）で覆われている。背面基板上のアドレス電極及び前面基板上の表示電極が交差する地点には、放電セルが形成される。放電セルの内部には、赤色（Ｒ）、緑色（Ｇ）、及び青色（Ｂ）の蛍光体層が形成される。
【０００５】
前記構造からなるプラズマディスプレイパネルの内部には、数百万個以上の単位放電セルが配列され、配列された放電セルのうちの選択された放電セルで放電が起こることによって、必要な画像が表示される。
【０００６】
しかし、プラズマディスプレイパネルが表示する可視光及び前面で一部が反射される外部光が混ざることがあり、特に、外部が明るい条件（明室条件）では、外部光が放電セルの内部により多く流入し、明室コントラスト（Ｂｒｉｇｈｔ ｒｏｏｍ ｃｏｎｔｒａｓｔ）が低下して、プラズマディスプレイパネルが実際に表示する画像の表示効率が低下する問題がある。
【発明の開示】
【発明が解決しようとする課題】
【０００７】
本発明は、隔壁、誘電層、及び保護膜を透明に形成して、着色による損傷を防止することを課題とする。
【０００８】
また、本発明は、放電空間に形成される反射層によって、色の散乱を防止して、反射輝度は低減させて、輝度は向上させることを課題とする。
【０００９】
また、本発明は、構成要素が減色混合される色の関係をなすように形成することによって、明室コントラストを向上させて、外部光の反射による表示効率の低下を防止して、画質を改善することを課題とする。
【課題を解決するための手段】
【００１０】
本発明の実施例によるプラズマディスプレイパネルは、第１色で着色される第１基板、第１基板と対向配置されて、第２色で着色される第２基板、第１基板及び第２基板の間に配置されて、各放電セルを区画する隔壁、第１基板に第１方向に伸張形成されて、放電セルに対応するアドレス電極、アドレス電極を覆う下部誘電層、第２基板に第１方向と交差する第２方向に伸張形成されて、放電セルに対応する表示電極、表示電極を覆う上部誘電層、及び放電セルの内部に形成される蛍光体層を含む。
【００１１】
第１色及び第２色は、互いに減色混合される色である。
【００１２】
また、第１色及び第２色のうちのいずれか一色は、減色混合の三原色のうちの一色からなり、他の一色は、減色混合の三原色のうちの残りの二色が混合された色からなる。
【００１３】
第１色及び第２色は、互いに補色対比の関係をなす。
【００１４】
第１色は、有彩色であり、特に、茶色（Ｂｒｏｗｎ）系である。
【００１５】
第２色は、有彩色であり、特に、青緑色（Ｃｙａｎ）系である。
【００１６】
放電セルの内部には、反射層が形成され、反射層は、隔壁の側面及び蛍光体層の間に形成される。
【００１７】
また、反射層は、下部誘電層の上面及び蛍光体層の間に形成されたり、隔壁の側面から下部誘電層の上面にかけて形成されることもある。
【００１８】
また、反射層は、アルミニウムを含んで形成される。
【００１９】
隔壁、上部誘電層、または下部誘電層は、透明に形成される。
【００２０】
第１基板の一部及び第２基板の一部は、隔壁を間において、互いに減色混合された色で着色されることもできる。
【００２１】
上部誘電層は、保護膜で覆われ、保護膜は、透明に形成される。
【発明の効果】
【００２２】
本発明によれば、隔壁、誘電層、及び保護膜を透明に形成して、着色による損傷を防止することができる。
【００２３】
また、本発明によれば、放電空間に形成される反射層によって、色の散乱を防止して、反射輝度は低減させて、輝度は向上させることができる。
【００２４】
また、本発明によれば、構成要素が減色混合される色の関係をなすように形成することによって、明室コントラストを向上させて、外部光の反射による表示効率の低下を防止して、画質を改善することができる。
【発明を実施するための最良の形態】
【００２５】
以下、本発明の実施例によるプラズマディスプレイパネルについて、添付した図面を参照して詳細に説明する。しかし、本発明は下記で開示される実施例に限定されず、互いに異なる多様な形態で具現され、下記で開示される実施例は、本発明を完全に開示して、当該分野で通常の知識を有する者に発明の範疇を完全に提示するために提供されるものである。
【００２６】
図１及び図２を参照すれば、本発明の実施例によるプラズマディスプレイパネルは、一定の間隔をおいて互いに対向配置される第１基板１０（以下、背面基板とする）及び第２基板２０（以下、前面基板とする）を含む。
【００２７】
背面基板１０は、第１色で着色されて形成され、前面基板２０は、第２色で着色されて形成される。
【００２８】
第１色及び第２色のうちのいずれか一色は、減色混合の三原色のうちの一色で着色されて、残りの一色は、減色混合の三原色のうちの残りの二色が混合された色で着色される。
【００２９】
一方、第１色及び第２色は、互いに補色対比の関係をなすように選択されて着色されることもできる。
【００３０】
具体的に、第１色が有彩色である茶色系で着色されると、第２色は青緑色（Ｃｙａｎ）系で着色される。この場合、前面基板２０及び背面基板１０は、互いに減色混合される色の関係をなしたり、さらには補色対比の関係をなすことができる。しかし、本発明はこれに限定されず、第１色及び第２色が互いに減色混合される色の関係をなす限り、他の系列の色からなることもできる。
【００３１】
前面基板２０及び背面基板１０が減色混合の関係をなす色で着色されるので、上部及び下部誘電層２８、１４、隔壁１６、及び保護膜２９は、着色顔料を含まずに、透明に形成されることができる。
【００３２】
このように前面基板２０及び背面基板１０が互いに補色対比の関係をなす色で着色されるので、たとえ上部及び下部誘電層２８、１４、隔壁１６、及び保護膜２９が透明に形成されても、明室コントラストが大きく向上し、外部光の反射輝度が低減されて、プラズマディスプレイパネルの画質が改善される。
【００３３】
また、上部及び下部誘電層２８、１４、隔壁１６、及び保護膜２９が透明に形成されると、別途の着色顔料が添加されないため、着色顔料による損傷を防止することができる。
【００３４】
つまり、上部及び下部誘電層２８、１４、隔壁１６、または保護膜２９に着色顔料が添加される場合には、着色顔料が不安定であるために、誘電層２８、１４に気泡が発生したり、隔壁が破損したり、さらには、隔壁の破損による蛍光体の飛散が発生することがあるが、本発明では、誘電層や隔壁などに着色顔料を添加しないため、このような問題を防止することができる。
【００３５】
また、本発明の実施例によるプラズマディスプレイパネルは、気体放電で画像を表示するために、背面基板１０及び前面基板２０の間において各放電セル１８に対応するようにアドレス電極１２及び表示電極をなす維持電極２１及び走査電極２２を含む。
【００３６】
アドレス電極１２は、背面基板１０の上面に第１方向（図面のｙ軸方向）に沿って伸張形成されて、第１方向に沿って隣接する放電セル１８に連続的に対応する。また、アドレス電極１２は、第２方向（図面のｘ軸方向）に沿って所定の距離だけ離隔して形成されて、各々の放電セル１８に対応する。アドレス電極１２は、背面基板１０に配置されて、可視光が前方に照射されるのを妨害しないので、不透明な電極（つまり、伝導性が優れている金属電極）で形成されることができる。
【００３７】
下部誘電層１４は、アドレス電極１２を覆って、放電時に陽イオンまたは電子がアドレス電極１２に直接衝突するのを防止して、アドレス電極１２の損傷を防止する一方で、壁電荷を形成及び蓄積する。
【００３８】
一方、維持電極２１及び走査電極２２は、前面基板２０の底面に形成されて、各放電セル１８に対応して面放電構造からなる。維持電極２１及び走査電極２２は、アドレス電極１２と交差する第２方向に沿って伸張形成される。
【００３９】
維持電極２１及び走査電極２２の各々は、放電を起こす透明電極２１ａ、２２ａ及び透明電極２１ａ、２２ａに電圧信号を各々供給するバス電極２１ｂ、２２ｂを含んで形成される。各透明電極２１ａ、２２ａは、放電セル１８の内部で面放電を起こす部分であって、放電セル１８の開口率を確保するために、透明な素材（例えば、インジウム錫酸化物、ＩＴＯ：Ｉｎｄｉｕｍ Ｔｉｎ Ｏｘｉｄｅ）で形成される。バス電極２１ｂ、２２ｂは、透明電極２１ａ、２２ａの高い電気抵抗を補償するために、伝導性が優れている金属で形成される。
【００４０】
維持電極２１及び走査電極２２は、アドレス電極１２と交差して、放電セル１８に対応して対向して形成され、上部誘電層２８で覆われる。上部誘電層２８は、維持電極２１及び走査電極２２を気体放電から保護して、放電時に壁電荷を形成及び蓄積する。そして、上部誘電層２８は、保護膜２９で覆われることもできる。保護膜２９は、上部誘電層２８を保護する酸化マグネシウム（ＭｇＯ）で形成され、放電時に２次電子の放出係数を増加させる。
【００４１】
隔壁１６は、背面基板１０及び前面基板２０の間で下部誘電層１４上に所定の高さに形成されて、多数の放電セル１８を区画する。
【００４２】
隔壁１６は、第１方向に沿ってのびて形成される第１隔壁部材１６ａ及び第１方向と垂直な第２方向にのびて形成される第２隔壁部材１６ｂの組合わせによって放電セル１８をマトリックス形状に形成したり、第１隔壁部材１６ａだけで放電セルをストライプ（Ｓｔｒｉｐｅ）形状に形成することができる。
【００４３】
前記で説明したように、隔壁１６は、着色顔料を含まずに、透明に形成されるので、着色顔料による隔壁の破損を防止することができる。
【００４４】
放電セル１８は、気体放電によって真空紫外線を発生させることができるように、放電ガス（一例として、ネオン（Ｎｅ）及びゼノン（Ｘｅ）などを含む混合ガス）が充填され、放電セル１８の内部には、真空紫外線を吸収して、可視光を放出する蛍光体層１９が塗布される。
【００４５】
放電セル１８の各々に形成される蛍光体層１９は、隔壁１６の側面及び下部誘電層１４の表面に塗布されて焼成される蛍光体ペーストで形成される。蛍光体層１９は、第１方向に沿って配列される放電セル１８に同一色の蛍光体によって形成される。また、蛍光体層１９は、第２方向に沿って反復的に配列される放電セル１８に赤色（Ｒ）、緑色（Ｇ）、青色（Ｂ）の蛍光体によって反復的に形成される。
【００４６】
図３乃至図５を参照すると、反射層３０は、放電セル１８及び蛍光体層１９の間に形成される。
【００４７】
つまり、反射層３０は、隔壁１６の側面及び下部誘電層１４の上面にわたって形成されて、反射層３０は、蛍光体層１６によって覆われる。また、必要に応じて、反射層３０を隔壁１６の側面だけに形成したり、下部誘電層１４の上面だけに形成することもできる。
【００４８】
本発明の実施例によれば、下部誘電層１４や隔壁１６が透明に形成されるが、この場合、色の散乱が発生することもある。反射層３０は、このような色の散乱を防止するためのものであって、特に、隔壁１６の側面で光を反射して、反射輝度は低減させて、輝度を向上させることができる。反射層３０は、光の反射が容易なように、アルミニウム（Ａｌ）素材で形成されることができる。
【００４９】
以上で、本発明の実施例について説明したが、本発明はこれに限定されず、本発明が属する技術分野で通常の知識を有する者によって、本発明と均等な範囲に属する多様な変形例または他の実施例が可能である。したがって、本発明の真の保護範囲は、特許請求の範囲によって決定されなければならない。
【図面の簡単な説明】
【００５０】
【図１】本発明の実施例によるプラズマディスプレイパネルの部分分解斜視図である。
【図２】図１のII−II線による断面図である。
【図３】図１の放電セルの内部に反射層を形成したことを示した要部平面図である。
【図４】図１の反射層の部分分解斜視図である。
【図５】反射層の作用状態を示した図面である。
【符号の説明】
【００５１】
１０  第１基板（背面基板）
１２  アドレス電極
１４  下部誘電層
１６  隔壁
１８  放電セル
１９  蛍光体層
２０  第２基板（前面基板）
２１  維持電極
２２  走査電極
２８  上部誘電層
２９  保護膜
３０  反射相
【図１】
2008130536.tif 000003
【図２】
2008130536.tif 000004
【図３】
2008130536.tif 000005
【図４】
2008130536.tif 000006
【図５】
2008130536.tif 000007